(57)【特許請求の範囲】
【請求項１】
電子写真感光体と、前記電子写真感光体を帯電させる帯電手段と、帯電した前記電子写真感光体に対し像露光を行い、静電潜像を形成する像露光手段と、前記電子写真感光体上に形成された前記静電潜像にトナーを付着させてトナー像を形成する現像手段と、前記電子写真感光体上の前記トナー像を被転写体に転写する転写手段と、前記被転写体に転写されたトナーを定着させる定着手段とを備え、
前記帯電手段、前記像露光手段、前記現像手段、前記転写手段、及び前記定着手段のうち少なくとも一つが前記電子写真感光体と接触して配置される画像形成装置の、前記電子写真感光体と前記電子写真感光体に接触して配置される手段との部材間接触圧力を調整する方法であって、
水平に設置された前記電子写真感光体の周面の一部に接触圧力調整用フィルムを巻装し、前記接触圧力調整用フィルムの一端に５０ｇの荷重をかけ、前記接触圧力調整用フィルムの他端を水平に保持し、前記電子写真感光体を５０ｒｐｍで回転させた状態で、前記接触圧力調整用フィルムの他端における引張り荷重を測定した際の前記引張り荷重値の変動幅が、１５％以下となるような、前記接触圧力調整用フィルムを、前記電子写真感光体と前記電子写真感光体に接触して配置される手段との間に挿入し、前記電子写真感光体を回転させた際の前記接触圧力調整用フィルムの引張り力が所定の範囲内となるように調整することにより、前記部材間接触圧力を調整する
ことを特徴とする画像形成装置の部材間接触圧力の調整方法。
【請求項２】
前記電子写真感光体の表面粗さＲｚopcと接触圧力調整用フィルムの表面粗さＲｚfilmとの和が、０．３０μｍ以上である接触圧力調整用フィルムを、前記電子写真感光体と前記電子写真感光体に接触して配置される手段との間に挿入し、前記電子写真感光体を回転させた際の前記接触圧力調整用フィルムの引張り力が所定の範囲内となるように調整することにより、前記部材間接触圧力を調整する
ことを特徴とする請求項１に記載の画像形成装置の部材間接触圧力の調整方法。
【請求項３】
電子写真感光体と、前記電子写真感光体を帯電させる帯電手段と、帯電した前記電子写真感光体に対し像露光を行い、静電潜像を形成する像露光手段と、前記電子写真感光体上に形成された前記静電潜像にトナーを付着させてトナー像を形成する現像手段と、前記電子写真感光体上の前記トナー像を被転写体に転写する転写手段と、前記被転写体に転写されたトナーを定着させる定着手段とを備え、
かつ前記帯電手段、前記像露光手段、前記現像手段、前記転写手段、及び前記定着手段のうち少なくとも一つが前記電子写真感光体と接触して配置される画像形成装置の製造方法であって、
水平に設置された前記電子写真感光体の周面の一部に接触圧力調整用フィルムを巻装し、前記接触圧力調整用フィルムの一端に５０ｇの荷重をかけ、前記接触圧力調整用フィルムの他端を水平に保持し、前記電子写真感光体を５０ｒｐｍで回転させた状態で、前記接触圧力調整用フィルムの他端における引張り荷重を測定した際の前記引張り荷重値の変動幅が、１５％以下となるような、前記接触圧力調整用フィルムを、接触圧力調整用フィルムを前記電子写真感光体と前記電子写真感光体に接触して配置される手段との間に挿入し、前記電子写真感光体を回転させた際の前記接触圧力調整用フィルムの引張り力が所定の範囲内となるように調整することにより、前記電子写真感光体と前記電子写真感光体に接触して配置される手段との部材間接触圧力を調整する工程を有する
ことを特徴とする画像形成装置の製造方法。
【請求項４】
前記電子写真感光体の表面粗さＲｚopcと接触圧力調整用フィルムの表面粗さＲｚfilmとの和が、０．３０μｍ以上である接触圧力調整用フィルムを、前記電子写真感光体と前記電子写真感光体に接触して配置される手段との間に挿入し、前記電子写真感光体を回転させた際の前記接触圧力調整用フィルムの引張り力が所定の範囲内となるように調整することにより、前記電子写真感光体と前記電子写真感光体に接触して配置される手段との部材間接触圧力を調整する工程を有する
ことを特徴とする請求項３に記載の画像形成装置の製造方法。
【発明の詳細な説明】
【技術分野】
【０００１】
本発明は、画像形成装置、画像形成装置の製造方法、及び画像形成装置の部材間接触圧力の調整方法に関するものである。さらに詳しくは、画像形成装置内において接触する部材間の接触圧力が、好適に調整された画像形成装置、その調整方法、及びその調整方法を利用して画像形成装置を製造する方法に係るものである。
【背景技術】
【０００２】
一般的に用いられている複写機、プリンター、印刷機等の画像形成装置では、次のようにして画像の記録が行われる。所定の軸を中心に、所定の周速度をもって回転駆動する電子写真感光体を、帯電手段により所定の電位となるように帯電させる。次いで像露光手段から電子写真感光体に対し、目的とする画像に対応した露光光を照射し、電子写真感光体表面に静電潜像を形成する。形成された静電潜像は、次いで現像手段内のトナーで正規現像又は反転現像により可転写粒子像（トナー像）として顕画化される。その後、給紙部から電子写真感光体と転写手段との間に電子写真感光体の回転と同期して給送された被転写体（記録紙）に、電子写真感光体の表面に形成担持されているトナー像が転写手段により順次転写される。この時、転写手段にはバイアス電源からトナーの保有電荷とは逆極性のバイアス電圧が印加される。トナー画像の転写を受けた被転写体（記録紙）は、電子写真感光体面から分離されて定着手段へ搬送されてトナー像の定着処理を受けることにより画像形成物（プリント、コピー）として装置外へプリントアウトされる。
【０００３】
上記のような画像形成装置では、例えば円筒状の電子写真感光体の外周面に沿って、帯電手段や、像露光手段、現像手段、転写手段等がそれぞれ配置されることとなる。上記画像形成をスムーズに効率よく行なったり、均一な品質で画像形成を行うためには、これらの各手段と電子写真感光体との間隔や接触圧力を目的とする範囲内に調整することが重要である。従来は上記各手段と電子写真感光体との間隔や接触圧力の調整を、上記電子写真感光体と各手段との距離を調整することにより行う方法が一般的であった。
しかしながらこの方法では、接触圧力を正確に把握することや、細かい調整をすること等が難しかった。例えば電子写真感光体と各手段とが、実際に、目的とする接触圧力で接しているか否かの判断や、接触面内でどのような接触圧力分布を有しているか等の把握等が難しかった。
【０００４】
そこで、例えば上記電子写真感光体と各手段との間にポリエチレン樹脂からなるフィルム部材を挿入し、上記フィルム部材を引き抜く力や、電子写真感光体を回転させた際の上記フィルム部材の引張り力等が所定の範囲内となるように調整することにより、上記電子写真感光体と各手段との部材間接触圧力を調整する方法が提案されている（特許文献１参照）。この方法では、上記引き抜き力や引張り力と上記部材間接触圧力とが一定の関係にあることを利用している。
【０００５】
【特許文献１】特開２００６−４８０１８号公報
【発明の開示】
【発明が解決しようとする課題】
【０００６】
しかしながら、上記方法では、たとえ同一種類のフィルム部材を用いた場合であっても、フィルムの製造ロットによる振れや、電子写真感光体の種類の差、測定タイミング等によっては、上記引き抜き力や引張り力が変化してしまうことがある。したがって、上記電子写真感光体と各手段との接触圧力を正確に調整することが難しい、という課題があった。
本発明は上述の課題に鑑みてなされたものである。即ち、本発明の目的は、電子写真感光体と、その電子写真感光体に接して配置される手段との部材間接触圧力が正確に調整された画像形成装置や、上記部材間接触圧力の調整方法、及び上記部材間接触圧力の調整方法を利用した画像形成装置の製造方法を提供することにある。
【課題を解決するための手段】
【０００７】
本発明者らが、上記の目的を満足し得る画像形成装置について鋭意研究したところ、電子写真感光体と、その電子写真感光体に接触して配置される手段との部材間接触圧力を、電子写真感光体と所定のすべり特性を維持するようにした接触圧力調整用フィルムを用いて、調整することにより、部材間接触圧力にブレ等が生じず、高品質な画像形成が可能な画像形成装置を形成可能となることを見出し、本発明に至った。
【００１１】
本発明の第１の要旨は、電子写真感光体と、前記電子写真感光体を帯電させる帯電手段と、帯電した前記電子写真感光体に対し像露光を行い、静電潜像を形成する像露光手段と、前記電子写真感光体上に形成された前記静電潜像にトナーを付着させてトナー像を形成する現像手段と、前記電子写真感光体上の前記トナー像を被転写体に転写する転写手段と、前記被転写体に転写されたトナーを定着させる定着手段とを備え、前記帯電手段、前記像露光手段、前記現像手段、前記転写手段、及び前記定着手段のうち少なくとも一つが前記電子写真感光体と接触して配置される画像形成装置の、前記電子写真感光体と前記電子写真感光体に接触して配置される手段との部材間接触圧力を調整する方法であって、水平に設置された前記電子写真感光体の周面の一部に接触圧力調整用フィルムを巻装し、前記接触圧力調整用フィルムの一端に５０ｇの荷重をかけ、前記接触圧力調整用フィルムの他端を水平に保持し、前記電子写真感光体を５０ｒｐｍで回転させた状態で、前記接触圧力調整用フィルムの他端における引張り荷重値を測定した際の前記引張り荷重値の変動幅が、１５％以下となるような、前記接触圧力調整用フィルムを、前記電子写真感光体と前記電子写真感光体に接触して配置される手段との間に挿入し、前記電子写真感光体を回転させた際の前記接触圧力調整用フィルムの引張り力が所定の範囲内となるように調整することにより、前記部材間接触圧力を調整することを特徴とする画像形成装置の部材間接触圧力の調整方法に存する（請求項１）。
【００１２】
この際、前記電子写真感光体の表面粗さＲｚopcと接触圧力調整用フィルムの表面粗さＲｚfilmとの和が、０．３０μｍ以上である接触圧力調整用フィルムを、前記電子写真感光体と前記電子写真感光体に接触して配置される手段との間に挿入し、前記電子写真感光体を回転させた際の前記接触圧力調整用フィルムの引張り力が所定の範囲内となるように調整することにより、前記部材間接触圧力を調整することが好ましい（請求項２）。
【００１３】
本発明の第２の要旨は、電子写真感光体と、前記電子写真感光体を帯電させる帯電手段と、帯電した前記電子写真感光体に対し像露光を行い、静電潜像を形成する像露光手段と、前記電子写真感光体上に形成された前記静電潜像にトナーを付着させてトナー像を形成する現像手段と、前記電子写真感光体上の前記トナー像を被転写体に転写する転写手段と、前記被転写体に転写されたトナーを定着させる定着手段とを備え、かつ前記帯電手段、前記像露光手段、前記現像手段、前記転写手段、及び前記定着手段のうち少なくとも一つが前記電子写真感光体と接触して配置される画像形成装置の製造方法であって、水平に設置された前記電子写真感光体の周面の一部に接触圧力調整用フィルムを巻装し、前記接触圧力調整用フィルムの一端に５０ｇの荷重をかけ、前記接触圧力調整用フィルムの他端を水平に保持し、前記電子写真感光体を５０ｒｐｍで回転させた状態で、前記接触圧力調整用フィルムの他端における引張り荷重値を測定した際の前記引張り荷重値の変動幅が、１５％以下となるような、前記接触圧力調整用フィルムを、接触圧力調整用フィルムを前記電子写真感光体と前記電子写真感光体に接触して配置される手段との間に挿入し、前記電子写真感光体を回転させた際の前記接触圧力調整用フィルムの引張り力が所定の範囲内となるように調整することにより、前記電子写真感光体と前記電子写真感光体に接触して配置される手段との部材間接触圧力を調整する工程を有することを特徴とする画像形成装置の製造方法に存する（請求項３）。
【００１４】
この際、前記電子写真感光体の表面粗さＲｚopcと接触圧力調整用フィルムの表面粗さＲｚfilmとの和が、０．３０μｍ以上である接触圧力調整用フィルムを、前記電子写真感光体と前記電子写真感光体に接触して配置される手段との間に挿入し、前記電子写真感光体を回転させた際の前記接触圧力調整用フィルムの引張り力が所定の範囲内となるように調整することにより、前記電子写真感光体と前記電子写真感光体に接触して配置される手段との部材間接触圧力を調整する工程を有することが好ましい（請求項４）。
【発明の効果】
【００１５】
本発明によれば、電子写真感光体と、前記電子写真感光体に接触する手段との部材間接触圧力が正確に調整されたものとすることが可能であり、またさらに、電子写真感光体の種類や、電子写真感光体の回転数、測定タイミング等に左右されることなく、上記部材間接触圧力を調整することが可能であるので、高品質な画像形成が可能な画像形成装置を、均一な品質で効率よく、多数生産することが可能となる。
【発明を実施するための最良の形態】
【００１６】
以下、本発明を詳細に説明するが、本発明は以下の説明に限定されるものではなく、その要旨の範囲内において種々に変更して実施することができる。
本発明の画像形成装置、画像形成装置の部材間接触圧力の調整方法、及び画像形成装置の製造方法についてそれぞれ説明する。
【００１７】
Ａ．画像形成装置
まず、本発明の画像形成装置について説明する。本発明の画像形成装置は、電子写真感光体と、上記電子写真感光体を帯電させる帯電手段と、帯電した上記電子写真感光体に対し像露光を行い、静電潜像を形成する像露光手段と、上記電子写真感光体上に形成された上記静電潜像にトナーを付着させてトナー像を形成する現像手段と、上記電子写真感光体上の上記トナー像を被転写体に転写する転写手段と、上記被転写体に転写されたトナーを定着させる定着手段とを備え、上記帯電手段、上記像露光手段、上記現像手段、上記転写手段、及び上記定着手段のうち少なくとも一つが上記電子写真感光体と接触して配置されるものである。
本発明の画像形成装置においては、帯電手段、像露光手段、現像手段、転写手段、及び定着手段のうちの一つの手段のみが、電子写真感光体と接触して配置されていてもよく、また二つ以上の手段がそれぞれ電子写真感光体と接触して配置されていてもよい。
【００１８】
本発明は、所定のすべり特性を有する接触圧力調整用フィルム、すなわち本発明に係る前記電子写真感光体を用いて引張り荷重を測定した際の引張り荷重値の変動幅が、１５％以下となるような接触圧力調整用フィルム、または電子写真感光体の表面粗さと接触圧力調整用フィルムとの表面粗さとの和が所定の値以上となる接触圧力調整用フィルムを、上記電子写真感光体と上記電子写真感光体に接触して配置される手段（以下、適宜「接触配置手段」ともいう。）との間に挿入し、電子写真感光体を回転させた際の前記接触圧力調整用フィルムの引張り力が所定の範囲内となるように調整することにより、上記電子写真感光体と上記接触配置手段との部材間接触圧力が調整されていることを特徴とする。
【００１９】
電子写真感光体と接触圧力調整用フィルムとのすべり特性を、所定の範囲内とすることにより、上記引張り力を、電子写真感光体の種類や、電子写真感光体の回転数、測定タイミング等に依存することの少ないものとすることができ、安定して測定することができるようになる。したがって、本発明の画像形成装置では、引張り力と相関関係にある上記部材間接触圧力が良好に設定されたものとすることができる。また、上記方法により部材間接触圧力を調整した場合、電子写真感光体の回転数に依らず、高品質な画像を形成可能である、という利点も有する。
【００２０】
本発明の画像形成装置において、二つ以上の手段が、電子写真感光体と接触して配置されている場合には、電子写真感光体と接触して配置されている手段のうちの一部の手段と電子写真感光体との部材間接触圧力のみが上記接触圧力調整用フィルムを用いて調整されていてもよい。また電子写真感光体と接触して配置されている全ての手段と電子写真感光体との部材間接触圧力が、上記接触圧力調整用フィルムを用いて調整されていてもよい。本発明においては特に電子写真感光体と接触して配置されている全ての手段と電子写真感光体との部材間接触圧力が、上記接触圧力調整用フィルムを用いて調整されていることが好ましい。なお、本発明でいう、電子写真感光体と上記手段とが接触して配置されているとは、電子写真感光体の一部分と上記手段の一部分とが点または面で接触するように配置されていることをいうこととする。また部材間接触圧力とは、電子写真感光体と接触配置手段との接触点（または接触面）に生じる圧力をいう。
【００２１】
以下、画像形成装置の部材間接触圧力の調整に用いられる接触圧力調整用フィルム、及び本発明に係る接触圧力調整用フィルムを用いた接触部材間圧力の調整方法について説明し、その後、画像形成装置を構成する各部材について説明する。
【００２２】
（接触圧力調整用フィルム）
上記部材間接触圧力の測定に用いられる接触圧力調整用フィルムには、そのすべり特性の規定方法の違いから２つの実施態様がある。以下、それぞれの実施態様についてわけて説明する。
【００２３】
［第１の実施態様］
まず、第１の実施態様における接触圧力調整用フィルムは、本発明に係る電子写真感光体の周面の一部に接触圧力調整用フィルムを巻装し、前記接触圧力調整用フィルムの一端に荷重をかけ、前記電子写真感光体を回転させた状態で他端における引張り荷重値を測定した際の前記引張り荷重値の変動幅が１５％以下となるようなフィルムである。
【００２４】
接触圧力調整用フィルムの上記変動幅が十分に小さいものである場合、上記接触圧力調整用フィルムの摩擦係数は、回転速度や測定タイミング等に依存しにくいものであると解される。そのため、電子写真感光体の種類や測定タイミング等に左右されることなく、後述する方法により安定して引張り力を測定することができる。したがって、本実施態様の接触圧力調整用フィルムを用いて部材間圧力が調整された画像形成装置では、引張り力と比例関係にある上記部材間接触圧力が良好に設定されたものとすることができ、高品質な画像形成が可能なものとすることができる。
【００２５】
上記引張り荷重値の変動幅の測定には、本発明の画像形成装置に搭載する電子写真感光体を用いる。具体的には、本発明に係る電子写真感光体の周面の一部に接触圧力調整用フィルムを巻装し、前記接触圧力調整用フィルムの一端に荷重をかけ、前記電子写真感光体を回転させた状態で他端における引張り荷重値を測定し、電子写真感光体の１０回転目から１分間経過後までにおける引張り荷重値の変動幅が１５％以下であるかを判断する。
【００２６】
本発明において、引張り荷重値の変動幅が１５％以下であるとは、上記測定方法により測定した引張り荷重値（Ｎ）の変動幅、すなわち電子写真感光体の１０回転目から１分間経過後までにおける
（引張り荷重値の最大値／引張り荷重値の最小値−１）×１００
が、１５％以下であることを表す。画像形成装置を均一な品質で効率よく、多数生産することが可能となるため、この変動幅は１３％以下であることが好ましく、特に１０％以下であることが好ましい。
【００２７】
上記電子写真感光体を用いて上記変動幅を測定する方法を、図１を用いて、以下、より詳しく説明する。なお、図１は、上記方法による引張り荷重値の変動幅の測定方法を説明するために用いられるものであり、図１に示された態様に限定されるものではなく、本発明の目的及び効果を損なわない限り任意に変更して実施することができる。
【００２８】
例えば図１に示すように、本発明の画像形成装置に搭載する電子写真感光体１０４を、上記電子写真感光体１０４の円柱軸が地面と水平になるように設置する。また、接触圧力調整用フィルム１０１を準備し、一端に荷重をかける。上記荷重をかける方法としては、通常、重り１０５を装着する方法とすることができる。また上記重り１０５の重さは接触圧力調整用フィルムが破断しない重さであれば特に制限はないが、通常１０ｇ以上、好ましくは２０ｇ以上、より好ましくは３０ｇ以上である。また通常１００ｇ以下、好ましくは８０ｇ以下、より好ましくは７０ｇ以下である。
【００２９】
一端に所定の荷重がかけられた接触圧力調整用フィルム１０１を前記電子写真感光体１０４の周面の一部に巻装し、接触圧力調整用フィルム１０１の他端を地面と水平に保持し、テンションゲージ１０３と連結する。通常、上記接触圧力調整用フィルム１０１は、上記電子写真感光体１０４の周面の１／４を巻装するものとする。
【００３０】
この状態で、電子写真感光体１０４を所定の回転速度で、接触圧力調整用フィルム１０１がテンションゲージ１０３から離れて引っ張られるような方向に回転させ、接触圧力調整用フィルム１０１の他端にかかる引張り荷重値を測定する。上記テンションゲージ１０３の具体例としては、Digital Force Gauge(IMADA（株）製)等が挙げられる。
【００３１】
上記回転数は本発明の目的及び効果を損なわない限り、特に制限はないが、通常１０ｒｐｍ以上、好ましくは２０ｒｐｍ以上、より好ましくは２５ｒｐｍ以上であり、また通常１００ｒｐｍ以下、好ましくは８０ｒｐｍ以下、より好ましくは６０ｒｐｍ以下である。特に好ましくは５０ｒｐｍである。上記範囲内であれば、通常、回転数に関わらず、上記変動幅はほぼ一定の範囲を示すものとすることができる。
【００３２】
また上記電子写真感光体１０４の直径は、本発明の電子写真感光体の種類等により適宜選択され、通常φ１０ｍｍ以上であり、好ましくはφ１５ｍｍ以上である。また通常φ１２０ｍｍ以下、好ましくはφ８０ｍｍ以下、より好ましくはφ３０ｍｍ以下、さらに好ましくはφ２５ｍｍ以下、特に好ましくはφ２０ｍｍ以下である。
【００３３】
またさらに、上記電子写真感光体１０４のＪＩＳ  Ｂ  ０６０１：２００１に基づいて測定される輪郭曲線の最大高さＲｚopcで表される表面粗さは、通常０．２０μｍ以上、また通常１．０μｍ以下、好ましくは０．９μｍ以下である。
【００３４】
また、上記変動幅を測定する際の接触圧力調整用フィルム１０１の巻装位置は、電子写真感光体１０４のギアのついているフランジ側から接触圧力調整用フィルム１０１の最も近い側端部までの距離が、電子写真感光体１０４の幅の通常５％以上となる位置であり、好ましくは１０％以上である。また通常３０％以下となる位置であり、好ましくは２０％以下である。
【００３５】
ここで、接触圧力調整用フィルム１０１の形状を、図２の概略断面図及び図３の概略平面図を用いて説明する。なお、上記図２及び図３は、本発明の趣旨を説明するために用いられるものであり、接触圧力調整用フィルム１０１の形状は、上記形状に限定されるものではなく、本発明の目的および効果を損なわない限り任意に変更して実施することができる。
【００３６】
部材間接触圧力を調整する際に用いられる接触圧力調整用フィルム１０１は、通常、短冊形状とされる。また接触圧力調整用フィルム１０１の長さ方向における端部の一方は、部材間接触圧力を設定する際に、電子写真感光体と接触配置手段との間に挿入されるものとされ、他方の端部は、例えば引張りばね測りとしてのテンションゲージ１０３の端子が挿入可能な穴が形成された板１０２に固定される。
【００３７】
また部材間接触圧力を調整する際に用いられる接触圧力調整用フィルム１０１の幅は、接触配置手段や電子写真感光体の幅等に合わせて適宜選択することができる。通常、測定の際に接触圧力調整用フィルム１０１が蛇行しない幅とされ、本発明の効果及び目的を損なわない限り任意であるが、通常、電子写真感光体１０４と接触配置手段との接触部分の軸方向の長さに対して、通常１％以上、好ましくは１．５％以上、より好ましくは２％以上とする。また通常２０％以下、好ましくは１０％以下、より好ましくは５％以下とする。このような幅を有する接触圧力調整用フィルム１０１を用いて後述する方法により、上記引張り力を測定することにより、電子写真感光体の端部付近や中央付近の部材間接触圧力を細かく調整することが可能となる。例えば接触配置手段に接触するシャフトの撓（たわ）みを考慮し、接触配置手段がクラウン量を有するように（ローラ端部の外径を傾斜が付くように端部方向に小さくした形状に）形成されている場合であっても、端部付近及び中央付近についてそれぞれ上記引張り力を測定することが可能となり、部材間接触圧力を細かく調整することができる。
【００３８】
また接触圧力調整用フィルム１０１の厚さは、通常１０μｍ以上であり、好ましくは４０μｍ以上、より好ましくは１００μｍ以上である。また通常２００μｍ以下、好ましくは１５０μｍ以下である。このような範囲内とすることにより、例えば上記接触配置手段が弾性体からなるもの等であっても、接触配置手段を弾性変形させることなく上記引張り力を測定することができ、部材間接触圧力を目的とする値に正確に調整することが可能となる。
【００３９】
接触圧力調整用フィルム１０１の弾性率（ＡＳＴＭ  Ｄ  ８８２）は４．０ＧＰａ以上であることが好ましく、また７．０ＧＰａ以下であることが好ましい。これにより、上記引張り力を上述した範囲内とすることができる。また上記引張り力を測定する際に、電子写真感光体や接触配置部材に傷がつかないものとすることができる。
【００４０】
また接触圧力調整用フィルム１０１のＪＩＳ  Ｃ  ２１５１により測定される破断強度は、通常２００ＭＰａ以上であり、また通常３５０ＭＰａ以下である。
【００４１】
またさらに、上記接触圧力調整用フィルム１０１のＪＩＳ  Ｂ  ０６０１：２００１に基づいて測定される輪郭曲線の最大高さＲｚfilmで表される表面粗さは、通常０．２０μｍ以上、好ましくは０．２２μｍ以上、より好ましくは０．２５μｍ以上、さらに好ましくは０．３０μｍ以上である。また通常３．０μｍ以下、好ましくは２．８μｍ以下、より好ましくは２．５μｍ以下である。これにより、上記引張り力を上述した範囲内とすることができる。
【００４２】
上記接触圧力調整用フィルム１０１の具体的な材料としては、ポリエチレンテレフタレート、ポリプロピレン等が挙げられ、好ましくは引張り強さが大きいという面から、ポリエチレンテレフタレートが用いられる。
【００４３】
なお、上述した方法により引張り荷重値を測定した際の前記引張り荷重値の変動幅を、１５％以下とするには、種々の方法があるが、例えば、接触圧力調整用フィルムの表面粗さと電子写真感光体の表面粗さとの関係を、後述する第２の実施態様で説明するような範囲としたり、接触圧力調整用フィルムの表面粗さを上述した範囲に調整したり、接触圧力調整用フィルムとして上述した範囲の弾性率を有するものを用いたり、接触圧力調整用フィルムの形状を上述した形状とすること等により達成可能である。
【００４４】
［第２の実施態様］
第２の実施態様における接触圧力調整用フィルムは、後述する電子写真感光体の表面粗さＲｚopcと接触圧力調整用フィルムの表面粗さＲｚfilmとの和が、通常０．３０μｍ以上となるものであり、好ましくは０．３２μｍ以上、より好ましくは０．３５μｍ以上である。また通常３．５μｍ以下、好ましくは３．０μｍ以下、より好ましくは２．５μｍ以下である。
接触圧力調整用フィルムの表面粗さＲｚfilmとしては、通常０．２０μｍ以上、好ましくは０．２２μｍ以上、特に０．２５μｍ以上である。また通常３．０μｍ以下、好ましくは２．８μｍ以下、より好ましくは２．５μｍ以下である。
上記接触圧直調整用フィルムの表面粗さＲｚfilmは、ＪＩＳ  Ｂ  ０６０１：２００１の規定に準拠する測定方法により測定される値である。
【００４５】
本実施態様によれば、上記接触圧力調整用フィルムの表面粗さと、電子写真感光体の表面粗さとの和が、所定の値以上とされていることから、上記部材間接触圧力を調整する際、接触圧力調整用フィルムと電子写真感光体とが過度に滑ってしまうこと等がないものとすることができ、測定タイミングや電子写真感光体の種類等に依らず、正確に引張り力を測定することができる。したがって、本実施態様の接触圧力調整用フィルムを用いて部材間圧力が調整された画像形成装置では、引張り力と比例関係にある上記部材間接触圧力が良好に設定されたものとすることができ、均一な品質で効率よく画像を形成することが可能となる。また、上記方法によれば、電子写真感光体の回転数に依存することなく、上記部材間接触圧力を調整することができる。
なお、本実施態様における接触圧力調整用フィルムの形状、厚さ、弾性率、硬度、引張り伸び率、及び材料等については、第１の実施態様で説明したものと同様とすることができる。
【００４６】
（部材間接触圧力の調整方法）
次に、部材間接触圧力の調整方法について図４を用いて説明する。部材間接触圧力の調整方法として具体的には、上記接触圧力調整用フィルム１０１を、例えば図５に示すような静止している画像形成装置１１０の電子写真感光体１と、上記接触配置手段（ここでは現像手段４の現像ローラ４４）との接触部に挿入する。この際、上記接触圧力調整用フィルム１０１の先端が、電子写真感光体１と接触配置手段４４との接触位置から通常１０ｍｍ以上、３０ｍｍ以下潜りこむように接触圧力調整用フィルム１０１を挿入する。またこの際、電子写真感光体１のギア（図示せず）側の端部から、電子写真感光体１の幅の通常５％以上中央側の領域、好ましくは１０％以上中央側の領域、また通常２０％以下中央側の領域、好ましくは１５％以下中央側の領域に、接触圧力調整用フィルム１０１がかかるように、上記接触圧力調整用フィルム１０１を挿入する。これにより、接触配置手段４４がクラウン量を有するように（ローラ端部の外径を傾斜が付くように端部方向に小さくした形状に）形成されている場合等であっても、部材間接触圧力を好適な範囲に調整することができる。
【００４７】
次に、接触圧力調整用フィルム１０１の他方に固定された板１０２の穴にテンションゲージ１０３の端子を挿入する。この状態で、図４に示されるように、電子写真感光体１と現像ローラ４４との接触点において、電子写真感光体１と現像ローラ４４との軸中心を結ぶ線に対して垂直な方向に接触圧力調整用フィルム１０１を引っ張るように、テンションゲージ１０３を構える。そのまま、画像形成装置のモータを駆動させて電子写真感光体１及び現像ローラ４４を回転させると、接触圧力調整用フィルム１０１が図４における矢印Ａの方向に引っ張られるので、このときのテンションゲージ１０３の指針を読み取る。上記指針は接触圧力調整用フィルム１０１を引っ張る力を示しているので、テンションゲージ１０３の指針を読み取ることによって、上記接触圧力調整用フィルム１０１の引張り力を測定することができる。
【００４８】
なお、指針を読み取る場合は、電子写真感光体１及び現像ローラ４４を回転させていったときに指針が動き始めた値ではなく、電子写真感光体１及び現像ローラ４４を継続して回転させると指針が安定した値を指すようになるので、そのときの値を読み取る。すなわち、接触圧力調整用フィルム１０１の引張り力として、静摩擦力ではなく、動摩擦力を測定するということである。また上記測定の際には、接触圧力調整用フィルム１０１に負荷となるような皺（しわ）ができないようにする。
【００４９】
その後、接触圧力調整用フィルム１０１の引張り力の数値が所定の数値となるように、電子写真感光体１及び現像ローラ４４との距離や、電子写真感光体や供給ローラに設けられた調整手段を調整し、上記と同様に、電子写真感光体１及び現像ローラ４４を回転させて接触圧力調整用フィルム１０１が引っ張られる力、すなわち接触圧力調整用フィルム１０１の引張り力の測定を適宜繰り返し行い、部材間接触圧力の調整を行う。
【００５０】
接触圧力調整用フィルム１０１の引張り力は、電子写真感光体１と現像ローラ４４との部材間接触圧力に比例して変化するものであるから、接触圧力調整用フィルム１０１の引張り力の数値が所定の数値となるように上記電子写真感光体１と現像ローラ４４との距離等を調整して設定することによって、電子写真感光体１と現像ローラ４４との部材間接触圧力を所定の数値に設定することができる。すなわち、電子写真感光体１と現像ローラ４４との部材間接触圧力と、接触圧力調整用フィルム１０１の引張り力として測定された動摩擦力とは比例関係にある。そこで、予め良好な部材間接触圧力となる場合における動摩擦力（引張り力）の数値範囲を求めておく。次いでこの数値範囲に接触圧力調整用フィルム１０１の引張り力の測定値が入るように電子写真感光体１と現像ローラ４４との距離等を調整して設定する。これにより、上記部材間接触圧力が良好な範囲となるように調整することができる。なお、良好な部材間接触圧力となる場合における引張り力の数値範囲は、実際に画像形成を行い、形成される画像品質を基準にして決定することができる。
【００５１】
ここで、上記引張り力の測定に用いられるテンションゲージ１０３は、特に限定されるものではなく、例えばDigital Force Gauge(IMADA（株）製とすることができる。
【００５２】
また、接触圧力調整用フィルム１０１の端部を固定することが可能であり、かつテンションゲージ１０３の端子が挿入可能な穴が形成された板１０２についても特に限定されるものではなく、例えば円形状、四角形状、三角形状等、任意の形状を有するものとすることができる。またさらに、上記テンションゲージ１０３の端子を挿入する穴の形状についても特に限定されるものではなく、テンションゲージ１０３の端子の形状等に合わせて適宜選択される。また、上記板１０２の素材については、上記引張り力の測定の際に、変形等せず、測定される値に影響を及ぼさないものであれば特に限定されず、例えば金属、樹脂、木等種々の素材を用いることができる。またさらに上記接触圧力調整用フィルム１０１の端部を固定する方法としては、接触圧力調整用フィルム１０１を、上記板１０２中に形成された部材によって挟みこむ方法や、上記接触圧力調整用フィルム１０１を上記板１０２に貼り合わせる方法等とすることができる。
【００５３】
また上記電子写真感光体と上記接触配置手段との部材間接触圧力を調整するために、上記電子写真感光体や接触配置手段に設けられる調整手段としては、例えばスプリングを用いた位置調整機構や電子写真感光体に設けられたギアと駆動ギアとの間隙を調整する調整手段等が挙げられる。
【００５４】
なお、上記説明では、電子写真感光体１と現像ローラ４４との部材間接触圧力の調整方法について説明したが、上記電子写真感光体と他の接触配置手段との部材間接触圧力も同様に調整することが可能である。
【００５５】
（画像形成装置の各部材）
次に、本発明における画像形成装置について説明する。
本発明における画像形成装置は、電子写真感光体と、上記電子写真感光体を帯電させる帯電手段と、帯電した上記電子写真感光体に対し像露光を行い、静電潜像を形成する像露光手段と、上記電子写真感光体上に形成された上記静電潜像にトナーを付着させてトナー像を形成する現像手段と、上記電子写真感光体上の上記トナー像を被転写体に転写する転写手段と、上記被転写体に転写されたトナーを定着させる定着手段とを備え、上記帯電手段、上記像露光手段、上記現像手段、上記転写手段、及び上記定着手段のうち少なくとも一つが上記電子写真感光体と接触して配置されるものである。
【００５６】
以下、本発明の画像形成装置の要部構成を示す図５を用いて説明する。但し、実施の形態は以下の説明に限定されるものではなく、本発明の目的及び効果を損なわない限り任意に変更して実施することができる。
図５に示すように、画像形成装置は、電子写真感光体１、帯電手段２、像露光手段３及び現像手段４、転写手段５、及び定着手段７を備え、必要に応じてクリーニング手段６や除電手段（図示せず）を備え、例えばこの電子写真感光体１の外周面に沿って、帯電手段２、像露光手段３、現像手段４、転写手段５及びクリーニング手段６等がそれぞれ配置されている。
本発明においては、上述したように、上記手段のうち１つ、または２つ以上の手段が上記電子写真感光体１と接触して配置される。
【００５７】
上記画像形成装置は上記一例と変形して構成してもよく、例えば、前露光工程、補助帯電工程などの工程を行なうことができる構成としたり、オフセット印刷を行なう構成としたり、更には複数種のトナーを用いたフルカラータンデム方式の構成としてもよい。
以下、本発明の画像形成装置の各部材について説明する。
【００５８】
［電子写真感光体］
上記電子写真感光体１は、本発明において特に制限はなく、従前知られた何れの構成も使用することができる。図５ではその一例として、円筒状の導電性支持体の表面に感光層を形成したドラム状の感光体を示している。電子写真感光体のより具体的な構成としては、例えば、導電性支持体上に、電荷発生物質を含有する電荷発生層と電荷輸送物質を含有する電荷輸送層とから構成される積層型感光層を有する構成や、導電性支持体上に、電荷輸送物質を含有する層中に電荷発生物質を分散させた単層型感光層を有する構成等とすることができる。
【００５９】
また、電子写真感光体の表面粗さＲｚopcは、通常０．２０μｍ以上、好ましくは０．２５μｍ以上、より好ましくは０．３０μｍ以上である。また通常１．０μｍ以下、好ましくは０．９μｍ以下、より好ましくは０．８μｍ以下である。本発明において、上記電子写真感光体の表面粗さＲｚopcは、ＪＩＳ  Ｂ  ０６０１：２００１の規定に準拠する測定方法により測定される値である。
【００６０】
ここで、電子写真感光体１及び後述する帯電手段２は、多くの場合、この両方を備えたカートリッジ（以下適宜、電子写真カートリッジという）として、画像形成装置の本体から取り外し可能に設計される。例えば電子写真感光体１や帯電手段２が劣化した場合に、この電子写真カートリッジを画像形成装置１１０本体から取り外し、別の新しい電子写真カートリッジを画像形成装置本体に装着することができるような構成とされる。また例えば電子写真感光体１、帯電手段２、及び後述する転写手段に用いられるトナーＴが備えられた構成の電子写真カートリッジとすることも可能である。
【００６１】
［帯電手段］
帯電手段２は、電子写真感光体１を帯電させるもので、電子写真感光体１の表面を所定電位に均一帯電させることが可能なものであれば特に限定されない。図５では帯電手段２の一例としてローラ型の帯電手段（帯電ローラ）を示しているが、他にもコロトロンやスコロトロン等のコロナ帯電手段、帯電ブラシ等の接触型帯電手段などがよく用いられる。接触型帯電手段の材料としては、導電性を付与した弾性体が一般的である。
【００６２】
また接触帯電手段に印加される電圧としては、直流電圧のみでも良く、直流電圧に交流電圧を重畳した振動電圧でも良い。ここで言う振動電圧とは、時間と共に周期的に電圧値が変化する電圧であり、交流電圧は、直流電圧のみ印加時における電子写真感光体１の帯電開始電圧の２倍以上のピーク間電圧を有することが好ましい。
【００６３】
［像露光手段］
像露光手段３は、電子写真感光体１に像露光を行なって電子写真感光体１の感光面に静電潜像を形成することができるものであれば、その種類に特に制限はない。具体例としては、 ハロゲンランプ、蛍光灯、半導体レーザー、ＬＥＤなどが挙げられる。また、感光体内部露光方式によって露光を行なうようなものであってよい。露光を行なう際の光は、通常波長３８０ｎｍ〜８００ｎｍの単色光を用いることができ、本発明において特に制限はない。
【００６４】
［現像手段］
現像手段４は、上記電子写真感光体１上に形成された上記静電潜像にトナーを付着させてトナー像を形成することが可能なものであれば、その種類に特に制限はなく、カスケード現像、一成分導電トナー現像、二成分磁気ブラシ現像などの乾式現像方式や、湿式現像方式などの任意の手段を用いることができる。図５では、現像手段４は、現像槽４１、アジテータ４２、供給ローラ４３、現像ローラ４４、及び、規制部材４５からなり、現像槽４１の内部にトナーＴを貯留している構成となっている。
また、必要に応じ、トナーＴを補給する補給装置（図示せず）を現像手段４に付帯させる構成としてもよい。この補給装置は、ボトル、カートリッジなどの容器からトナーＴを補給することが可能となるように構成される。
また多くの場合、トナーＴはトナーカートリッジ中に蓄えられ、画像形成装置本体から取り外し可能に設計される。使用しているトナーカートリッジ中のトナーＴが無くなった場合に、このトナーカートリッジを画像形成装置本体から取り外し、別の新しいトナーカートリッジを装着することができるような構成とすることが、トナーＴの補給の利便性等の面から好ましい。
【００６５】
供給ローラ４３は、導電性スポンジ等から形成される。現像ローラ４４は、鉄、ステンレス鋼、アルミニウム、ニッケルなどの金属ロール、またはこうした金属ロールにシリコーン樹脂、ウレタン樹脂、フッ素樹脂などを被覆した樹脂ロール等から形成される。この現像ローラ４４の表面には、必要に応じて、平滑加工や粗面加工を加えてもよい。
【００６６】
通常、現像ローラ４４は、電子写真感光体１と供給ローラ４３との間に配置され、電子写真感光体１及び供給ローラ４３に各々当接している。供給ローラ４３及び現像ローラ４４は、回転駆動機構（図示せず）によって回転される。供給ローラ４３は、貯留されているトナーＴを担持して、現像ローラ４４に供給する。現像ローラ４４は、供給ローラ４３によって供給されるトナーＴを担持して、電子写真感光体１の表面に接触させる。
【００６７】
規制部材４５は、シリコーン樹脂やウレタン樹脂などの樹脂ブレード、ステンレス鋼、アルミニウム、銅、真鍮、リン青銅などの金属ブレード、またはこうした金属ブレードに樹脂を被覆したブレード等により形成されている。この規制部材４５は、現像ローラ４４に当接し、ばね等によって現像ローラ４４側に所定の力で押圧（一般的なブレード線圧は５〜５００ｇ重／ｃｍ）される。必要に応じて、この規制部材４５に、トナーＴとの摩擦帯電によりトナーＴに帯電を付与する機能を具備させてもよい。
【００６８】
アジテータ４２は、回転駆動機構によってそれぞれ回転されており、トナーＴを攪拌するとともに、トナーＴを供給ローラ４３側に搬送する。アジテータ４２は、羽根形状、大きさ等を違えて複数設けてもよい。
【００６９】
トナーＴの種類は任意であり、粉状トナーのほか、懸濁重合法や乳化重合法などを用いた重合トナー等を用いることができる。特に、重合トナーを用いる場合には径が４〜８μｍ程度の小粒径のものが好ましく、また、トナーの粒子の形状も球形に近いものからポテト上の球形から外れたものまで様々に使用することができる。重合トナーは、帯電均一性、転写性に優れ、高画質化に好適に用いられる。
【００７０】
［転写手段］
転写手段５は、上記電子写真感光体１上に形成されたトナー像を被転写体に転写することが可能なものであれば、その種類に特に制限はなく、コロナ転写、ローラ転写、ベルト転写などの静電転写法、圧力転写法、粘着転写法など、任意の方式を用いた手段とすることができる。例えば転写手段５が電子写真感光体１に対向して配置された転写チャージャー、転写ローラ、転写ベルト等から構成されるものとすることができる。この転写手段５は、トナーＴの帯電電位とは逆極性で所定電圧値（転写電圧）を印加し、電子写真感光体１に形成されたトナー像を被転写体（記録紙）Ｐに転写する。
【００７１】
［クリーニング手段］
クリーニング手段６は、電子写真感光体１に付着している残留トナーをクリーニング部材で掻き落とし、残留トナーを回収するものである。その種類に特に制限はなく、ブラシクリーナー、磁気ブラシクリーナー、静電ブラシクリーナー、磁気ローラクリーナー、ブレードクリーナーなど、任意のクリーニング手段を用いることができる。但し、クリーニング手段６、電子写真感光体１表面に残留するトナーが少ないか、殆ど無い場合には、クリーニング手段６は無くても構わない。
【００７２】
［定着手段］
定着手段７は、例えば上部定着部材（加圧ローラ）７１及び下部定着部材（定着ローラ）７２から構成されるもの等とすることができ、通常、定着部材７１または７２の内部には加熱装置７３が通常備えられる。図５では、上部定着部材７１の内部に加熱装置７３が備えられた例を示す。上部及び下部の各定着部材７１、７２は、ステンレス、アルミニウムなどの金属素管にシリコンゴムを被覆した定着ロール、更にテフロン（登録商標）樹脂で被覆した定着ロール、定着シートなどが公知の熱定着部材を使用することができる。更に、各定着部材７１、７２は、離型性を向上させる為にシリコーンオイル等の離型剤を供給する構成としてもよく、バネ等により互いに強制的に圧力を加える構成としてもよい。
【００７３】
被転写体（記録紙）Ｐ上に転写されたトナーは、所定温度に加熱された上部定着部材７１と下部定着部材７２との間を通過する際、トナーが溶融状態まで熱加熱され、通過後冷却されて被転写体（記録紙）Ｐ上にトナーが定着される。
なお、定着手段についてもその種類に特に限定はなく、ここで用いたものをはじめ、熱ローラ定着、フラッシュ定着、オーブン定着、圧力定着など、任意の方式による定着手段を設けることができる。
【００７４】
［除電手段］
除電手段としては、上記電子写真感光体１の除電を行うことが可能な手段であれば特に限定されるものではない。除電方法としては、通常、蛍光灯、ＬＥＤ等を用いて電子写真感光体１にエネルギーを照射する方法が挙げられる。なお上記除電工程で用いる光は、強度としては像露光の際の露光光の３倍以上の露光エネルギーを有する光である場合が多い。
【００７５】
Ｂ．画像形成装置の部材間接触圧力の調整方法
次に、本発明における画像形成装置の部材間接触圧力の調整方法について説明する。本発明における画像形成装置の部材間接触圧力の調整方法は、電子写真感光体と、上記電子写真感光体を帯電させる帯電手段と、帯電した上記電子写真感光体に対し像露光を行い、静電潜像を形成する像露光手段と、上記電子写真感光体上に形成された上記静電潜像にトナーを付着させて現像する現像手段と、上記電子写真感光体上の上記トナーを被転写体に転写する転写手段と、上記被転写体に転写されたトナーを定着させる定着手段とを備え、上記帯電手段、上記像露光手段、上記現像手段、上記転写手段、及び上記定着手段のうち少なくとも一つが上記電子写真感光体と接触して配置される画像形成装置の、上記電子写真感光体と上記電子写真感光体に接触して配置される手段との部材間接触圧力を調整する方法である。
【００７６】
本発明は、所定のすべり特性を有する接触圧力調整用フィルムを上記電子写真感光体と上記電子写真感光体に接触して配置される手段との間に挿入し、電子写真感光体を回転させた際の前記接触圧力調整用フィルムの引張り力が所定の範囲内となるように調整することにより、上記部材間接触圧力を調整することを特徴とする。
【００７７】
本発明においては、所定のすべり特性を有する接触圧力調整用フィルム、すなわち所定の電子写真感光体を用いて荷重に対する引張り荷重を測定した際の変動幅が所定の範囲内である接触圧力調整用フィルム、または上記電子写真感光体の表面粗さと接触圧力調整用フィルムとの表面粗さとの和が所定の値以上となる接触圧力調整用フィルムを用いて上記引張り力を調整し、電子写真感光体と各手段との間の部材間接触圧力を調整する。上述した様に、接触圧力調整用フィルムのすべり特性を所定の範囲内とすることにより、電子写真感光体と接触圧力調整用フィルムとの摩擦係数が、電子写真感光体の種類や測定タイミング等に依存することの少ないものとすることができ、上記引張り力を安定して測定することができる。したがって、引張り力と比例関係にある上記部材間接触圧力を正確に調整することが可能となる。以上のことから、本発明の部材間接触圧力の調整方法を用いて調整された画像形成装置は、電子写真感光体と接触配置手段との部材間接触圧力が良好に設定されており、均一な品質で効率よく画像形成を行うことが可能となる。また、本発明の方法によれば、電子写真感光体の回転数に依存することなく、上記部材間接触圧力を調整することができる。
以下、上記部材間接触圧力の調整方法、本発明が適用可能な画像形成装置、及び本発明を行う時期について説明する。また、所定のすべり特性を有する接触圧力調整用フィルムについては、上述した「Ａ．画像形成装置」で説明したものと同様とすることができる。
【００７８】
［部材間接触圧力の調整方法］
本発明における部材間接触圧力の調整は、上記引張り力を調整することにより行なわれる。すなわち、所定のすべり特性を有する接触圧力調整用フィルムを電子写真感光体と接触配置手段との間に挿入し、電子写真感光体を回転させた際の前記接触圧力調整用フィルムの引張り力が所定の範囲内となるように、電子写真感光体及び接触配置手段との距離や位置等を調整することにより上記部材間接触圧力を調整する。接触圧力調整用フィルムの引張り力は、電子写真感光体と接触配置部材との部材間接触圧力に比例して変化するものであるから、予め良好な部材間接触圧力となる場合における動摩擦力（引張り力）の数値範囲を求めておく。次いでこの数値範囲に接触圧力調整用フィルムの引張り力の測定値が入るように電子写真感光体と接触配置部材との距離等を調整して設定する。これにより、上記部材間接触圧力が良好な範囲となるように調整することができる。なお、良好な部材間接触圧力となる場合における引張り力の数値範囲は、実際に画像形成を行い、形成される画像品質を基準にして決定することができる。
このような部材間接触圧力の具体的な態様については、上述した「Ａ．画像形成装置」の部材間接触圧力の調整方法で説明した態様と同様とすることができる。
【００７９】
［本発明が適用可能な画像形成装置］
本発明の部材間接触圧力の調整方法が適用可能な画像形成装置としては、帯電手段、像露光手段、現像手段、転写手段、及び上記定着手段を少なくとも備え、上記手段のうち少なくとも一つが上記電子写真感光体と接触して配置される画像形成装置であれば特に限定されず、上記帯電手段、上記像露光手段、上記現像手段、上記転写手段、及び上記定着手段のうちの一つの手段のみが、上記電子写真感光体と接触して配置されていてもよく、また二つ以上の手段がそれぞれ上記電子写真感光体と接触して配置されていてもよい。二つ以上の手段が、電子写真感光体と接触して配置されている場合には、電子写真感光体と接触して配置されている手段のうちの一部の手段と電子写真感光体との部材間接触圧力のみを上記接触圧力調整用フィルムを用いて調整してもよい。また電子写真感光体と接触して配置されている全ての手段と電子写真感光体との部材間接触圧力を、上記接触圧力調整用フィルムを用いて調整してもよい。
なお、本発明を適用可能な画像形成装置の具体例としては、上述した「Ａ．画像形成装置」で説明したものと同様とすることができる。なお、本発明の要旨を逸脱しない限り、上記画像形成装置に限定されるものではなく、いかなる変更を行なうことも可能である。
【００８０】
［本発明を行う時期］
本発明は、例えば上述したような画像形成装置を組み立てた後に行う調整の一環として上記方法を行ってもよく、また例えば上記画像形成装置に不具合が生じた場合に上記方法を行ってもよい。またさらに画像形成装置の定期的な検査として上記方法を行ってもよい。なお、本発明の要旨を逸脱しない限り、上記時期に限定されるものではない。
【００８１】
Ｃ．画像形成装置の製造方法
次に、本発明の画像形成装置の製造方法について説明する。本発明は、電子写真感光体と、前記電子写真感光体を帯電させる帯電手段と、帯電した前記電子写真感光体に対し像露光を行い、静電潜像を形成する像露光手段と、前記電子写真感光体上に形成された前記静電潜像にトナーを付着させてトナー像を形成する現像手段と、前記電子写真感光体上の前記トナー像を被転写体に転写する転写手段と、前記被転写体に転写されたトナーを定着させる定着手段とを備え、かつ前記帯電手段、前記像露光手段、前記現像手段、前記転写手段、及び前記定着手段のうち少なくとも一つが前記電子写真感光体と接触して配置される画像形成装置の製造方法である。
【００８２】
また、所定のすべり特性を有する接触圧力調整用フィルム、すなわち電子写真感光体を用いて荷重に対する引張り荷重を測定した際の変動幅が所定の範囲内である接触圧力調整用フィルム、または上記電子写真感光体の表面粗さと接触圧力調整用フィルムとの表面粗さとの和が所定の値以上となる接触圧力調整用フィルムを前記電子写真感光体と前記電子写真感光体に接触して配置される手段との間に挿入し、前記電子写真感光体を回転させた際の前記接触圧力調整用フィルムの引張り力が所定の範囲内となるように調整することにより、前記電子写真感光体と前記電子写真感光体に接触して配置される手段との部材間接触圧力を調整する工程を有することを特徴とする。
【００８３】
本発明では、電子写真感光体と各手段との間の接触圧力を調整する工程において、所定のすべり特性を有する接触圧力調整用フィルムを用いる。上述したように、すべり特性が所定の範囲内である接触圧力調整用フィルムは、電子写真感光体の種類や測定タイミング等に依存することなく、上記引張り力を測定することができることから、上記部材間接触圧力を正確に設定することが可能となる。したがって、本発明により製造された画像形成装置では、電子写真感光体と接触配置手段との部材間接触圧力が良好に設定されており、均一な品質で効率よく画像を形成可能である。また、本発明によれば高品質な画像形成が可能な画像形成装置を、均一な品質で効率よく、多数生産することが可能となる。さらに上記方法によれば、電子写真感光体の回転数に依存することなく、上記部材間接触圧力を上記工程により調整することができる。
以下、上記部材間接触圧力を設定する工程、及びその他の工程について説明する。なお、本発明により製造される画像形成装置の例としては、上述した「Ａ．画像形成装置」で説明した画像形成装置の例と同様とすることができる。なお、本発明の要旨を逸脱しない限り、上記画像形成装置に限定されるものではなく、いかなる変更を行なうことも可能である。また、所定のすべり特性を有する接触圧力調整用フィルムについては、上述した「Ａ．画像形成装置」で説明したものと同様とすることができる。
【００８４】
［部材間接触圧力を設定する工程］
本発明において部材間接触圧力を設定する工程は、所定のすべり特性を有する電子写真感光体と接触配置手段との間に挿入し、電子写真感光体を回転させた際の前記接触圧力調整用フィルムの引張り力が所定の範囲内となるように、電子写真感光体と接触配置手段との距離や位置等を調整することにより上記部材間接触圧力を調整する工程とすることができる。接触圧力調整用フィルムの引張り力は、電子写真感光体と規制部材との接触圧力に比例して変化するものであるから、予め良好な部材間接触圧力となる場合における動摩擦力（引張り力）の数値範囲を求めておき、この数値範囲に接触圧力調整用フィルムの引張り力の測定値が入るように電子写真感光体と接触配置部材との距離等を調整して設定することによって、電子写真感光体と接触配置手段との部材間接触圧力を目的とする範囲に調整することができる。
【００８５】
なお、本発明における部材間接触圧力の具体的な調整方法については、上述した「Ａ．画像形成装置」の部材間接触圧力の調整方法で説明した方法と同様とすることができる。
【００８６】
また、本発明により製造される画像形成装置は、帯電手段、像露光手段、現像手段、転写手段、及び上記定着手段を少なくとも備え、上記手段のうち少なくとも一つが上記電子写真感光体と接触して配置される画像形成装置であれば特に限定されず、上記帯電手段、上記像露光手段、上記現像手段、上記転写手段、及び上記定着手段のうちの一つの手段のみが、上記電子写真感光体と接触して配置されていてもよく、また二つ以上の手段がそれぞれ上記電子写真感光体と接触して配置されていてもよい。
【００８７】
このような画像形成装置において、二つ以上の手段が、電子写真感光体と接触して配置されている場合には、電子写真感光体と接触して配置されている手段のうちの一部の手段と電子写真感光体との部材間接触圧力のみを本工程を行って調整してもよい。また電子写真感光体と接触して配置されている全ての手段と電子写真感光体との部材間接触圧力を、本工程を行って調整してもよい。本発明においては、特に電子写真感光体と接触して配置されている全ての手段と電子写真感光体との部材間接触圧力を、本工程を行って調整することが好ましい。
【００８８】
また本工程が行われる時期としては、通常画像形成装置を組み立てる際、または画像形成装置を組み立てた後とすることができるが、本発明の要旨を逸脱しない限り、上記時期に限定されるものではない。
【００８９】
［その他の工程］
本発明は、上述した部材間接触圧力を設定する工程以外にも、必要に応じて適宜他の手段を有していてもよく、例えば上記各手段を形成する工程や、上記各手段を所定の位置に配置する工程等を有するものとすることができる。
【実施例】
【００９０】
以下、本発明について、実施例を用いてさらに詳細に説明するが、本発明はその要旨を逸脱しない限り、以下の実施例に限定されるものではない。
以下の実施例及び比較例において、表面粗さＲｚは、特に言及しない限り、ＪＩＳ  Ｂ  ０６０１：２００１の規定に準拠する測定方法により測定される値である。
【００９１】
［導電性支持体Ａの作製］
アルミニウム押し出し管を、しごき形成し、直径２４ｍｍ、長さ２４６ｍｍ、厚さ０．８ｍｍ、表面粗さＲｚが１．０μｍのアルミニウム素管を作製した。前記アルミニウム素管を陽極酸化処理し、６μｍの陽極酸化皮膜を有する導電性支持体を作製した。
【００９２】
［導電性支持体Ｂの作製］
アルミニウム素管として、アルミニウム押し出し管を引き抜き加工し、更に天然ダイヤモンドの焼結体の平バイトを用い、切り込み量３０μｍ、切削送り速度２００μｍ／ｒｅｖ．として切削加工を行い、直径２４ｍｍ、長さ２４６ｍｍ、厚さ０．８ｍｍ、表面粗さＲｚが０．７μｍのアルミニウム素管を用いた以外は、導電性支持体Ａと同様にして導電性支持体Ｂを作製した。
【００９３】
［電荷発生層形成用塗布液の作製］
ＣｕＫα特性Ｘ線によるＸ線回折において、ブラッグ角（２θ±０．２）９．６°，２７．２゜に強い回折ピークを示すオキシチタニウムフタロシアニン１０重量部と、１，２−ジメトキシエタン１４０重量部とを混合し、サンドグラインドミルで２時間粉砕して微粒化分散処理を行なった。続いてこの微粒化分散処理液と、１０重量部のポリビニルブチラール（電気化学工業（株）製、商品名「デンカブチラール」＃６０００Ｃ）、４８７重量部の１，２−ジメトキシエタン、８５重量部の４−メトキシ−４−メチル−２−ペンタノンを混合して、固形分濃度３．４重量％の電荷発生層用塗布液を製造した。
【００９４】
［電荷輸送層用塗布液の作製］
下記式（１）で表される化合物４７重量部、下記式（２）で表される化合物３重量部、下記式（３）で表される化合物１．５重量部、下記式（４）で表される化合物８重量部、下記式（５）で表される化合物１重量部、シリコーンオイル０．０３重量部、および下記式（６）で表されるポリカーボネート樹脂（粘度平均分子量３０，２００）１００重量部を、テトラヒドロフランとトルエンとの混合溶媒（テトラヒドロフラン７０重量％、トルエン３０重量％）６８０重量部に混合し、電荷輸送層形成用塗布液を製造した。
【００９５】
【化１】
0005380844.tif 000002
【００９６】
【化２】
0005380844.tif 000003
【００９７】
【化３】
0005380844.tif 000004
【００９８】
【化４】
0005380844.tif 000005
【００９９】
【化５】
0005380844.tif 000006
【０１００】
【化６】
0005380844.tif 000007
【０１０１】
［感光層の作製］
上記導電性支持体Ａの表面上に、前記電荷発生層用塗布液を、乾燥後の膜厚が０．３５μｍとなるように浸漬塗布、乾燥して電荷発生層を形成した。更に、該電荷発生層上に、前記電荷輸送層用塗布液を、乾燥後の膜厚が２２μｍになるように浸漬塗布、乾燥して、積層型感光層を有する電子写真感光体を作製した。更に同様の方法により、同構成の電子写真感光体を合計３個作製した。これらの電子写真感光体を、電子写真感光体１、電子写真感光体２、及び電子写真感光体３とする。電子写真感光体１、２、及び３の表面粗さＲｚopcは、それぞれ０．３２μｍ、０．２９μｍ、０．３１μｍであった。
また、上記導電性支持体Ｂの表面上に、前記電荷発生層用塗布液を、乾燥後の膜厚が０．３５μｍとなるように浸漬塗布、乾燥して電荷発生層を形成した。更に、該電荷発生層上に、前記電荷輸送層用塗布液を、乾燥後の膜厚が２２μｍになるように浸漬塗布、乾燥して、積層型感光層を有する電子写真感光体を作製した。更に同様の方法により、同構成の電子写真感光体を合計３個作製した。これらの電子写真感光体を、電子写真感光体４、電子写真感光体５、及び電子写真感光体６とする。電子写真感光体４、５、及び６の表面粗さＲｚopcは、それぞれ０．０９μｍ、０．１１μｍ、０．１０μｍであった。
【０１０２】
［接触圧力調整用フィルムの作製］
（接触圧力調整用フィルムＡ）
厚さ３８μｍ、表面粗さＲｚfilm０．３６μｍであるポリエチレンテレフタレートフィルム（商品名Ｔ１００：三菱化学ポリエステルフィルム（株）社製）を、幅５ｍｍ、長さ１１０ｍｍに切断し、接触圧力調整用フィルムＡとした。
【０１０３】
［接触圧力調整用フィルムＢの作製］
厚さ３８μｍ、表面粗さＲｚfilm０．２１μｍであるポリエチレンテレフタレートフィルム（商品名ルミラーＳ１０：東レ（株）社製）を、幅５ｍｍ、長さ１１０ｍｍに切断し、接触圧力調整用フィルムＢとした。
【０１０４】
［接触圧力調整用フィルムＣの作製］
厚さ４０μｍ、表面粗さＲｚfilm０．１２μｍであるポリプロピレンフィルムを、幅５ｍｍ、長さ１１０ｍｍに切断し、接触圧力調整用フィルムＣとした。
【０１０５】
［引張り荷重値の測定］
・電子写真感光体１と接触圧力調整用フィルムＡとの組み合わせ
前記電子写真感光体１を水平に設置し、上記接触圧力調整用フィルムＡの一端に５０ｇの重りを装着し、前記接触圧力調整用フィルムＡを上記電子写真感光体の周面１／４に巻装して、接触圧力調整用フィルムＡの他端を水平に保持した。なお、接触圧力調整用フィルムＡの他端には、Digital Force Gauge(IMADA（株）製)を取り付けた。また、接触圧力調整用フィルムの巻装位置は、電子写真感光体１のギア側の端部から４０ｍｍの位置にかかる位置とした。
この状態で、前記電子写真感光体を回転速度５０ｒｐｍで、接触圧力調整用フィルムＡがテンションゲージから離れて引っ張られるような方向に回転させ、前記接触圧力調整用フィルムＡの他端にかかる引張り荷重の値を、０．５秒間隔でDigital Force Gauge(IMADA（株）製)からの出力信号として、記録した。
【０１０６】
この際、電子写真感光体の１０回点目から１分経過後までの引張り荷重値の変動幅は、６．９％であった。引張り荷重値の測定値を図６のグラフに示す。
【０１０７】
・電子写真感光体１と接触圧力調整用フィルムＢとの組み合わせ
同様の方法により、接触圧力調整用フィルムＢについても、電子写真感光体１を用いて引張り荷重値を測定したところ、引張り荷重値の変動幅は、１２．８％であった。引張り荷重値の測定値を図７のグラフに示す。
【０１０８】
・電子写真感光体１と接触圧力調整用フィルムＣとの組み合わせ
同様の方法により、接触圧力調整用フィルムＣについても、電子写真感光体１を用いて引張り荷重値を測定したところ、引張り荷重値の変動幅は、２４．８％であった。引張り荷重値の測定値を図８のグラフに示す。
【０１０９】
・電子写真感光体４と接触圧力調整用フィルムＡとの組み合わせ
同様の方法により、電子写真感光体４を用い、接触圧力調整用フィルムＡについて引張り荷重値を測定したところ、引張り荷重値の変動幅は、１２．４％であった。引張り荷重値の測定値を図９のグラフに示す。
【０１１０】
・電子写真感光体４と接触圧力調整用フィルムＢとの組み合わせ
同様の方法により、電子写真感光体４を用い、接触圧力調整用フィルムＢについて引張り荷重値を測定したところ、引張り荷重値の変動幅は、１４．3％であった。引張り荷重値の測定値を図１０のグラフに示す。
【０１１１】
・電子写真感光体４と接触圧力調整用フィルムＣとの組み合わせ
同様の方法により、電子写真感光体４を用い、接触圧力調整用フィルムＣについて引張り荷重値を測定したところ、引張り荷重値の変動幅は、４８．３％であった。引張り荷重値の測定値を図１１のグラフに示す。
【０１１２】
上記電子写真感光体１及び４を用い、接触圧力調整用フィルムＡ〜Ｃについて測定した引張り荷重値の変動幅を表１に示す。
【表１】
0005380844.tif 000008
【０１１３】
［画像形成装置の製造］
（画像形成装置ａ）
上記電子写真感光体１〜３を、沖データ（株）社製カラープリンタＣ３４００ｎのカートリッジに搭載し、画像形成装置ａとした。
【０１１４】
（画像形成装置ｂ）
上記電子写真感光体４〜６を、沖データ（株）社製カラープリンタＣ３４００ｎのカートリッジに搭載し、画像形成装置ｂとした。
【０１１５】
［実施例１］
上記接触圧力調整用フィルムＡの一端にテンションゲージ（Digital Force Gauge(IMADA（株）製)を取り付けた。次いで、上記接触圧力調整用フィルムＡの他端を、電子写真感光体１を用いた画像形成装置ａの帯電ローラと、電子写真感光体１との間に挿入した。この際、電子写真感光体１のギア側の端部から４０ｍｍの位置にかかるように、上記接触圧力調整用フィルムＡを挿入した。
電子写真感光体と帯電ローラとの軸中心を結ぶ線に対して垂直な方向に接触圧力調整用フィルムＡを引っ張るように、テンションゲージを構え、電子写真感光体及び帯電ローラを回転速度５０ｒｐｍで回転させ、このときのテンションゲージの指針（引張り力）を読み取った。続いてこの画像形成装置ａにより画像形成を行ない、得られた画像濃度が低ければ上記引張り力を大きくなるように調整し、画像濃度が高ければ引張り力が小さくなるように調整した。この調整を繰り返し、最適濃度となったときの上記引張り力を記録した。
次に、電子写真感光体２を用いた画像形成装置ａについて、上記電子写真感光体１の画像濃度が最適となった引張り力と同じとなるように、上記引張り力を調整した。この際、画像形成は行なわなかった。同様に電子写真感光体３を用いた画像形成装置ａについても調整した。
【０１１６】
［比較例１］
電子写真感光体４を用いた画像形成装置ｂ及び上記接触圧力調整用フィルムＣを用いた以外は、実施例１と同様に、最適濃度となったときの上記引張り力を記録した。さらに電子写真感光体５及び６を用いた画像形成装置ｂについて、上記電子写真感光体１の画像濃度が最適となった引張り力と同じとなるように、上記引張り力を調整した。、
【０１１７】
［評価］
電子写真感光体２及び３を用い、接触圧力調整用フィルムＡにて調整した画像形成装置ａにおいては、いずれも良好な画像を形成することができたが、電子写真感光体５及び６を用い、接触圧力調整用フィルムＣにて調整した画像形成装置ｂにおいては、ブレが大きく、かすれや白抜け等が見られた。また特に画像端部に濃淡（色むら）が見られた。
【産業上の利用可能性】
【０１１８】
本発明の画像形成装置は、電子写真感光体と、その電子写真感光体に接触して配置されている手段との部材間接触圧力が正確に調整されているため、均一な品質で効率よく画像形成を行なうことができる。したがって、本発明は例えば複写機、プリンター、印刷機等の分野において好適に用いることができる。
【図面の簡単な説明】
【０１１９】
【図１】本発明の画像形成装置の部材間接触圧力を調整するために用いられる接触圧力調整用フィルムを説明するための概略断面図である。
【図２】本発明の画像形成装置の部材間接触圧力を調整するために用いられる接触圧力調整用フィルムを説明するための概略断面図である。
【図３】本発明の画像形成装置の部材間接触圧力を調整するために用いられる接触圧力調整用フィルムを説明するための概略平面図である。
【図４】本発明の画像形成装置の部材間接触圧力を調整する方法を説明するための説明図である。
【図５】本発明の画像形成装置の部材間接触圧力を調整する方法を説明するための説明図である。
【図６】実施例に用いられる電子写真感光体１と接触圧力調整用フィルムＡとの引張り荷重値を示すグラフである。
【図７】実施例に用いられる電子写真感光体１と接触圧力調整用フィルムＢとの引張り荷重値を示すグラフである。
【図８】実施例に用いられる電子写真感光体１と接触圧力調整用フィルムＣとの引張り荷重値を示すグラフである。
【図９】実施例に用いられる電子写真感光体４と接触圧力調整用フィルムＡとの引張り荷重値を示すグラフである。
【図１０】実施例に用いられる電子写真感光体４と接触圧力調整用フィルムＢとの引張り荷重値を示すグラフである。
【図１１】実施例に用いられる電子写真感光体４と接触圧力調整用フィルムＣとの引張り荷重値を示すグラフである。
【符号の説明】
【０１２０】
１  電子写真感光体
２  帯電装置（帯電ローラ）
３  露光装置
４  現像装置
５  転写装置
６  クリーニング装置
７  定着装置
４１  現像槽
４２  アジテータ
４３  供給ローラ
４４  現像ローラ
４５  規制部材
７１  上部定着部材（加圧ローラ）
７２  下部定着部材（定着ローラ）
７３  加熱装置
Ｔ  トナー
Ｐ  被転写体
１０１  接触圧力調整用フィルム
１０２  板
１０３  テンションゲージ
【図１】
0005380844.tif 000009
【図２】
0005380844.tif 000010
【図３】
0005380844.tif 000011
【図４】
0005380844.tif 000012
【図５】
0005380844.tif 000013
【図６】
0005380844.tif 000014
【図７】
0005380844.tif 000015
【図８】
0005380844.tif 000016
【図９】
0005380844.tif 000017
【図１０】
0005380844.tif 000018
【図１１】
0005380844.tif 000019